(57)【要約】【課題】画像形成装置に印刷データを再度送信しなくても画像形成装置に出力物を出力させることができる画像形成システムを提供する。【解決手段】画像形成システム１は、画像形成装置１０と端末１３とが通信自在である。端末１３は印刷データを画像形成装置１０に送信するものである。画像形成装置１０は印刷データに対応する印刷ジョブに基づき媒体に画像を形成する。画像が形成された媒体を出力物として載置させるトレイ１１６が設けられ、トレイ１１６にはトレイセンサー１１７が設けられている。印刷ジョブを制御するプロセッサは、モジュールを実行するものである。モジュールは、トレイセンサー１１７により出力物がトレイ１１６から取り出されたことが検知され、且つ出力物の取得者と、印刷ジョブの依頼者とに関連性がないと判定する場合、印刷ジョブの属性を出力待ち状態に設定する。【選択図】図１
2018134745.tif 000002
【特許請求の範囲】
【請求項１】
少なくとも１台の画像形成装置と、少なくとも１台の端末とが通信自在な画像形成システムであって、
前記少なくとも１台の端末は、
印刷データを前記少なくとも１台の画像形成装置に送信するものであり、
前記少なくとも１台の画像形成装置は、
前記少なくとも１台の端末から送信される前記印刷データに対応する印刷ジョブに基づき、媒体に画像を形成する画像形成部と、
前記画像形成部により前記画像が形成された前記媒体を出力物として載置させるトレイと、
前記トレイに設けられ、前記トレイから前記出力物が取り出されたことを検知するトレイセンサーと、
を備え、
前記印刷ジョブは、
１つ以上のプロセッサにより制御されるものであり、
前記１つ以上のプロセッサは、
１個以上のモジュールを実行するものであり、
前記１個以上のモジュールは、
前記トレイセンサーにより前記出力物が前記トレイから取り出されたことが検知され、且つ前記出力物の取得者と、前記印刷ジョブの依頼者とに関連性がないと判定する場合、前記印刷ジョブの属性を出力待ち状態に設定するためのジョブ管理指示、
を含むものである、
画像形成システム。
【請求項２】
ユーザーごとに携帯され、前記ユーザーを特定する個人情報を読み出し自在な認証デバイス、
をさらに備え、
前記認証デバイスは、
前記ユーザーとして前記印刷ジョブの依頼者に携帯される場合、前記個人情報のうち前記印刷ジョブの依頼者の依頼側識別情報を読み出し自在なものであり、
前記ユーザーとして前記出力物の取得者に携帯される場合、前記個人情報のうち前記出力物の取得者の取得側識別情報を読み出し自在なものであり、
前記１個以上のモジュールは、
前記認証デバイスにより読み出される前記依頼側識別情報及び前記取得側識別情報に基づき、前記関連性があるか否かを判定するための個人情報含有判定指示、
をさらに含むものである、
請求項１に記載の画像形成システム。
【請求項３】
前記認証デバイスは、
前記ユーザーの生体情報を読み取る読取部と、
前記読取部により読み取られる前記ユーザーの生体情報に基づき、前記個人情報として前記依頼側識別情報及び前記取得側識別情報の少なくとも一方に対応するデバイス識別情報を生成する生成部と、
前記生成部により生成される前記デバイス識別情報を記憶するメモリと、
前記メモリに記憶される前記デバイス識別情報を読み出す読出部と、
を備える、
請求項２に記載の画像形成システム。
【請求項４】
前記少なくとも１台の端末は、
前記依頼側識別情報と、前記デバイス識別情報とに基づき、前記印刷ジョブの依頼者と前記ユーザーとが同一人物であると判定する場合、前記デバイス識別情報を関連付けた前記印刷データを送信するものであり、
前記少なくとも１台の画像形成装置は、
前記少なくとも１台の端末から前記デバイス識別情報が関連付けられた前記印刷データが送信される場合、前記印刷ジョブに前記デバイス識別情報を関連付けるものであり、
前記認証デバイスは、
前記出力物の取得者に携帯される場合、前記デバイス識別情報を前記取得側識別情報に設定するものである、
請求項３に記載の画像形成システム。
【請求項５】
前記個人情報含有判定指示は、
前記デバイス識別情報を介して、前記依頼側識別情報と、前記取得側識別情報とが同一である場合、前記出力物の依頼者と前記出力物の取得者とが同一人物であると判定するものである、
請求項４に記載の画像形成システム。
【請求項６】
前記個人情報が設定されている個人情報テーブル、
をさらに含み、
前記１個以上のモジュールは、
前記認証デバイスが前記少なくとも１台の画像形成装置の近くにあるか否かを検出するための存否検出指示と、
前記存否検出指示により前記認証デバイスが前記少なくとも１台の画像形成装置の近くにあると検出される場合、前記個人情報テーブルに設定されている前記個人情報と、前記存否検出指示により検出された前記認証デバイスに記憶される前記個人情報と、に基づき、前記認証デバイスを前記ユーザーが保証されている保証認証デバイスとして認証するための認証指示と、
をさらに含むものであり、
前記少なくとも１台の画像形成装置は、
前記認証指示により前記認証デバイスが前記保証認証デバイスとして認証される場合、前記保証認証デバイスの前記個人情報に含まれる前記デバイス識別情報が関連付けられた前記印刷ジョブを開始する、
請求項３〜５の何れか一項に記載の画像形成システム。
【請求項７】
前記存否検出指示は、
前記少なくとも１台の画像形成装置からの存否判定距離を設定自在な存否範囲内で前記認証デバイスを検出させるためのものであり、
前記認証指示は、
前記存否検出指示により前記認証デバイスが前記存否範囲内で検出され、且つ前記存否範囲内で検出された前記認証デバイスに記憶される前記個人情報が前記個人情報テーブルに設定されている場合、前記認証デバイスを前記保証認証デバイスとして認証させるためのものであり、
前記ジョブ管理指示は、
前記存否検出指示により前記認証デバイスが前記存否範囲内で検出され、且つ前記認証指示により前記認証デバイスが前記保証認証デバイスとして認証される場合、前記属性を出力完了状態に設定させるためのものであり、
前記存否検出指示により前記認証デバイスが前記存否範囲内で検出され、且つ前記認証指示により前記認証デバイスが前記保証認証デバイスとして認証されない場合、前記属性を前記出力待ち状態に設定させるためのものである、
請求項６に記載の画像形成システム。
【請求項８】
前記印刷ジョブが保持されるバッファ、
をさらに含み、
前記少なくとも１台の画像形成装置は、
前記バッファに保持される前記印刷ジョブを開始するものであり、
前記ジョブ管理指示は、
前記属性が前記出力完了状態に設定される前記印刷ジョブを前記バッファから削除させるものであり、前記属性が前記出力待ち状態に設定される前記印刷ジョブを前記バッファに保持させるためのものである、
請求項７に記載の画像形成システム。
【請求項９】
前記少なくとも１台の画像形成装置は、
前記認証指示により前記認証デバイスが前記保証認証デバイスとして認証される場合、前記バッファに保持されている前記印刷ジョブのうち、前記属性が前記出力待ち状態に設定されている前記印刷ジョブを開始する、
請求項８に記載の画像形成システム。
【請求項１０】
前記ジョブ管理指示は、
前記出力待ち状態に設定されている前記印刷ジョブと同一のものが前記バッファに保持される場合、前記出力待ち状態に設定されている前記印刷ジョブを前記バッファから削除させるためのものである、
請求項８又は９に記載の画像形成システム。
【請求項１１】
前記ジョブ管理指示は、
分散印刷の指示を受けるものであり、且つ前記少なくとも１台の画像形成装置であって、複数台の画像形成装置のうち一部の画像形成装置の前記存否範囲内で前記認証デバイスが検出される場合、前記複数台の画像形成装置のうち他の一部の画像形成装置に、前記一部の画像形成装置で実行されるものと同一の前記印刷ジョブを開始させるためのものである、
請求項７〜１０の何れか一項に記載の画像形成システム。
【請求項１２】
前記少なくとも１台の画像形成装置は、
前記存否検出指示により検出される前記認証デバイスのうち、前記認証指示により前記保証認証デバイスとして認証される前記認証デバイスと、前記認証指示により前記保証認証デバイスとして認証されない前記認証デバイスとが存在する場合、前記認証指示により前記保証認証デバイスとして認証される前記認証デバイスの前記デバイス識別情報が関連付けられた前記印刷ジョブを優先する、
請求項７〜１１の何れか一項に記載の画像形成システム。
【請求項１３】
前記ジョブ管理指示は、
前記関連性がなく、且つ前記存否範囲内で検出される前記認証デバイスの前記個人情報に含まれる前記デバイス識別情報が前記依頼側識別情報と異なると判定される場合、前記依頼側識別情報を読み出し自在な前記認証デバイスに前記取得側識別情報を通知すると共に、前記属性を前記出力完了状態及び前記出力待ち状態の何れか一方に設定自在にさせるためのものである、
請求項７〜１２の何れか一項に記載の画像形成システム。
【請求項１４】
前記個人情報は、
前記出力物を取得可能な権限情報が付加自在であり、
前記１個以上のモジュールは、
前記個人情報に前記出力物を取得可能な権限情報が付加されている場合、前記関連性があると判定するための権限情報含有判定指示、
をさらに含むものである、
請求項７〜１３の何れか一項に記載の画像形成システム。
【請求項１５】
前記ジョブ管理指示は、
前記一部の画像形成装置の前記トレイセンサーにより前記トレイから前記出力物が取り出されたことが検知され、且つ前記認証デバイスが前記他の一部の画像形成装置の前記存否範囲内で検出される場合、前記他の一部の画像形成装置に前記印刷ジョブを開始させるためのものである、
請求項１１に記載の画像形成システム。
【請求項１６】
前記少なくとも１台の画像形成装置は、
前記印刷ジョブに関する内容の表示及び操作の受け付けをする操作パネル、
をさらに備え、
前記ジョブ管理指示は、
前記一部の画像形成装置の前記トレイセンサーにより前記トレイから前記出力物が取り出されたことが検知されず、且つ前記認証デバイスが前記他の一部の画像形成装置の前記存否範囲内で検出される場合、前記他の一部の画像形成装置の前記操作パネルに、前記出力物が前記一部の画像形成装置の前記トレイに残っている旨を表示させると共に前記印刷ジョブを開始させる操作を受け付けさせるためのものである、
請求項１５に記載の画像形成システム。
【請求項１７】
前記１個以上のモジュールは、
前記操作パネルにより受け付けられる前記操作が、前記出力物の取得者と、前記印刷ジョブの依頼者と、を同一人物であると判定させるものである場合、前記関連性があると判定するための入力含有判定指示、
をさらに含むものである、
請求項１６に記載の画像形成システム。
【発明の詳細な説明】
【技術分野】
【０００１】
本開示は、画像形成システムに関する。
【背景技術】
【０００２】
近年、画像形成装置と、ユーザーが所有する携帯無線端末とが定期的に通信することにより、画像形成装置によりユーザーが所有する携帯無線端末が検知されると共に、ユーザーの特定が行われるものが提案されている（例えば、特許文献１参照）。
【先行技術文献】
【特許文献】
【０００３】
【特許文献１】特開２００３−０５１９０９号公報
【発明の概要】
【発明が解決しようとする課題】
【０００４】
特許文献１に記載のような従来技術は、ユーザーに応じた印刷を行うことができるものであって、ユーザーがプライベート印刷を要求していれば、自動的に印刷を開始するものである。しかし、画像形成装置から出力される出力物が放置される場合、ユーザーは出力物を取りに行っても出力物が無くなっている恐れがある。このように出力物が無くなっている場合、画像形成装置に印刷データを再度送信しなければ、画像形成装置に出力物を出力させることができない状況が生じる。
【０００５】
本開示はこのような状況に鑑みてなされたものであり、画像形成装置に印刷データを再度送信しなくても画像形成装置に出力物を出力させることができるようにするものである。
【課題を解決するための手段】
【０００６】
本開示の一側面である画像形成システムは、少なくとも１台の画像形成装置と、少なくとも１台の端末とが通信自在な画像形成システムであって、前記少なくとも１台の端末は、印刷データを前記少なくとも１台の画像形成装置に送信するものであり、前記少なくとも１台の画像形成装置は、前記少なくとも１台の端末から送信される前記印刷データに対応する印刷ジョブに基づき、媒体に画像を形成する画像形成部と、前記画像形成部により前記画像が形成された前記媒体を出力物として載置させるトレイと、前記トレイに設けられ、前記トレイから前記出力物が取り出されたことを検知するトレイセンサーと、を備え、前記印刷ジョブは、１つ以上のプロセッサにより制御されるものであり、前記１つ以上のプロセッサは、１個以上のモジュールを実行するものであり、前記１個以上のモジュールは、前記トレイセンサーにより前記出力物が前記トレイから取り出されたことが検知され、且つ前記出力物の取得者と、前記印刷ジョブの依頼者とに関連性がないと判定する場合、前記印刷ジョブの属性を出力待ち状態に設定するためのジョブ管理指示、を含むものである。
【０００７】
つまり、出力物がトレイから取り出され、且つ出力物の取得者と、印刷ジョブの依頼者とに関連性がないと判定される場合、印刷ジョブの属性が出力待ち状態に設定されることにより、出力物が出力された後であっても、印刷ジョブが消去されずに存在しているため、画像形成装置に印刷データを再度送信しなくても画像形成装置に出力物を出力させることができる。
【０００８】
また、ユーザーごとに携帯され、前記ユーザーを特定する個人情報を読み出し自在な認証デバイス、をさらに備え、前記認証デバイスは、前記ユーザーとして前記印刷ジョブの依頼者に携帯される場合、前記個人情報のうち前記印刷ジョブの依頼者の依頼側識別情報を読み出し自在なものであり、前記ユーザーとして前記出力物の取得者に携帯される場合、前記個人情報のうち前記出力物の取得者の取得側識別情報を読み出し自在なものであり、前記１個以上のモジュールは、前記認証デバイスにより読み出される前記依頼側識別情報及び前記取得側識別情報に基づき、前記関連性があるか否かを判定するための個人情報含有判定指示、をさらに含むものである、ことが好ましい。
【０００９】
また、前記認証デバイスは、前記ユーザーの生体情報を読み取る読取部と、前記読取部により読み取られる前記ユーザーの生体情報に基づき、前記個人情報として前記依頼側識別情報及び前記取得側識別情報の少なくとも一方に対応するデバイス識別情報を生成する生成部と、前記生成部により生成される前記デバイス識別情報を記憶するメモリと、前記メモリに記憶される前記デバイス識別情報を読み出す読出部と、を備える、ことが好ましい。
【００１０】
また、前記少なくとも１台の端末は、前記依頼側識別情報と、前記デバイス識別情報とに基づき、前記印刷ジョブの依頼者と前記ユーザーとが同一人物であると判定する場合、前記デバイス識別情報を関連付けた前記印刷データを送信するものであり、前記少なくとも１台の画像形成装置は、前記少なくとも１台の端末から前記デバイス識別情報が関連付けられた前記印刷データが送信される場合、前記印刷ジョブに前記デバイス識別情報を関連付けるものであり、前記認証デバイスは、前記出力物の取得者に携帯される場合、前記デバイス識別情報を前記取得側識別情報に設定するものである、ことが好ましい。
【００１１】
また、前記個人情報含有判定指示は、前記デバイス識別情報を介して、前記依頼側識別情報と、前記取得側識別情報とが同一である場合、前記出力物の依頼者と前記出力物の取得者とが同一人物であると判定するものである、ことが好ましい。
【００１２】
また、前記個人情報が設定されている個人情報テーブル、をさらに含み、前記１個以上のモジュールは、前記認証デバイスが前記少なくとも１台の画像形成装置の近くにあるか否かを検出するための存否検出指示と、前記存否検出指示により前記認証デバイスが前記少なくとも１台の画像形成装置の近くにあると検出される場合、前記個人情報テーブルに設定されている前記個人情報と、前記存否検出指示により検出された前記認証デバイスに記憶される前記個人情報と、に基づき、前記認証デバイスを前記ユーザーが保証されている保証認証デバイスとして認証するための認証指示と、をさらに含むものであり、前記少なくとも１台の画像形成装置は、前記認証指示により前記認証デバイスが前記保証認証デバイスとして認証される場合、前記保証認証デバイスの前記個人情報に含まれる前記デバイス識別情報が関連付けられた前記印刷ジョブを開始する、ことが好ましい。
【００１３】
また、前記存否検出指示は、前記少なくとも１台の画像形成装置からの存否判定距離を設定自在な存否範囲内で前記認証デバイスを検出させるためのものであり、前記認証指示は、前記存否検出指示により前記認証デバイスが前記存否範囲内で検出され、且つ前記存否範囲内で検出された前記認証デバイスに記憶される前記個人情報が前記個人情報テーブルに設定されている場合、前記認証デバイスを前記保証認証デバイスとして認証させるためのものであり、前記ジョブ管理指示は、前記存否検出指示により前記認証デバイスが前記存否範囲内で検出され、且つ前記認証指示により前記認証デバイスが前記保証認証デバイスとして認証される場合、前記属性を出力完了状態に設定させるためのものであり、前記存否検出指示により前記認証デバイスが前記存否範囲内で検出され、且つ前記認証指示により前記認証デバイスが前記保証認証デバイスとして認証されない場合、前記属性を前記出力待ち状態に設定させるためのものである、ことが好ましい。
【００１４】
また、前記印刷ジョブが保持されるバッファ、をさらに含み、前記少なくとも１台の画像形成装置は、前記バッファに保持される前記印刷ジョブを開始するものであり、前記ジョブ管理指示は、前記属性が前記出力完了状態に設定される前記印刷ジョブを前記バッファから削除させるものであり、前記属性が前記出力待ち状態に設定される前記印刷ジョブを前記バッファに保持させるためのものである、ことが好ましい。
【００１５】
また、前記少なくとも１台の画像形成装置は、前記認証指示により前記認証デバイスが前記保証認証デバイスとして認証される場合、前記バッファに保持されている前記印刷ジョブのうち、前記属性が前記出力待ち状態に設定されている前記印刷ジョブを開始する、ことが好ましい。
【００１６】
また、前記ジョブ管理指示は、前記出力待ち状態に設定されている前記印刷ジョブと同一のものが前記バッファに保持される場合、前記出力待ち状態に設定されている前記印刷ジョブを前記バッファから削除させるためのものである、ことが好ましい。
【００１７】
また、前記ジョブ管理指示は、分散印刷の指示を受けるものであり、且つ前記少なくとも１台の画像形成装置であって、複数台の画像形成装置のうち一部の画像形成装置の前記存否範囲内で前記認証デバイスが検出される場合、前記複数台の画像形成装置のうち他の一部の画像形成装置に、前記一部の画像形成装置で実行されるものと同一の前記印刷ジョブを開始させるためのものである、ことが好ましい。
【００１８】
また、前記少なくとも１台の画像形成装置は、前記存否検出指示により検出される前記認証デバイスのうち、前記認証指示により前記保証認証デバイスとして認証される前記認証デバイスと、前記認証指示により前記保証認証デバイスとして認証されない前記認証デバイスとが存在する場合、前記認証指示により前記保証認証デバイスとして認証される前記認証デバイスの前記デバイス識別情報が関連付けられた前記印刷ジョブを優先する、ことが好ましい。
【００１９】
また、前記ジョブ管理指示は、前記関連性がなく、且つ前記存否範囲内で検出される前記認証デバイスの前記個人情報に含まれる前記デバイス識別情報が前記依頼側識別情報と異なると判定される場合、前記依頼側識別情報を読み出し自在な前記認証デバイスに前記取得側識別情報を通知すると共に、前記属性を前記出力完了状態及び前記出力待ち状態の何れか一方に設定自在にさせるためのものである、ことが好ましい。
【００２０】
また、前記個人情報は、前記出力物を取得可能な権限情報が付加自在であり、前記１個以上のモジュールは、前記個人情報に前記出力物を取得可能な権限情報が付加されている場合、前記関連性があると判定するための権限情報含有判定指示、をさらに含むものである、ことが好ましい。
【００２１】
また、前記ジョブ管理指示は、前記一部の画像形成装置の前記トレイセンサーにより前記トレイから前記出力物が取り出されたことが検知され、且つ前記認証デバイスが前記他の一部の画像形成装置の前記存否範囲内で検出される場合、前記他の一部の画像形成装置に前記印刷ジョブを開始させるためのものである、ことが好ましい。
【００２２】
また、前記少なくとも１台の画像形成装置は、前記印刷ジョブに関する内容の表示及び操作の受け付けをする操作パネル、をさらに備え、前記ジョブ管理指示は、前記一部の画像形成装置の前記トレイセンサーにより前記トレイから前記出力物が取り出されたことが検知されず、且つ前記認証デバイスが前記他の一部の画像形成装置の前記存否範囲内で検出される場合、前記他の一部の画像形成装置の前記操作パネルに、前記出力物が前記一部の画像形成装置の前記トレイに残っている旨を表示させると共に前記印刷ジョブを開始させる操作を受け付けさせるためのものである、ことが好ましい。
【００２３】
また、前記１個以上のモジュールは、前記操作パネルにより受け付けられる前記操作が、前記出力物の取得者と、前記印刷ジョブの依頼者と、を同一人物であると判定させるものである場合、前記関連性があると判定するための入力含有判定指示、をさらに含むものである、ことが好ましい。
【発明の効果】
【００２４】
本開示の一側面によれば、画像形成装置に印刷データを再度送信しなくても画像形成装置に出力物を出力させることができる。
【図面の簡単な説明】
【００２５】
【図１】本開示を適用した画像形成システム１の全体構成例を示す図である。
【図２】認証デバイス２０の構成例を示す図である。
【図３】画像形成装置１０の構成例を示す図である。
【図４】印刷データの処理例を説明するフローチャートである。
【図５】認証デバイス２０の検出処理を含めた印刷データの処理例を説明するフローチャートである。
【図６】重複印刷ジョブ判定処理を説明するフローチャートである。
【図７】分散処理の処理例を説明するフローチャートである。
【図８】優先処理の処理例を説明するフローチャートである。
【図９】通知処理の処理例を説明するフローチャートである。
【図１０】権限処理の処理例を説明するフローチャートである。
【図１１】出力先変更処理の処理例を説明するフローチャートである。
【図１２】出力先変更処理の別の処理例を説明するフローチャートである。
【図１３】手認証処理の処理例を説明するフローチャートである。
【発明を実施するための形態】
【００２６】
以下、図面に基づいて本開示の実施形態を説明するが、本開示は以下の実施形態に限られるものではない。なお、本開示の実施形態の説明で使用されているように、「構成する」、「より成る」、「含む」、「含んでいる」、「有する」、「備える」又はそれらの他の何らかの同義語は、非排他的な包含関係をカバーするように意図される。例えば、要素の列挙を含むプロセス、方法、物品又は装置は、それらの要素だけに限定されることは必須でなく、明示的には列挙されていない又は本来備わっているはずの他の要素が、そのようなプロセス、方法、物品又は装置に含まれてもよい。さらに、明示的に言及しない限り、「又は」は包括的なものであり、排他的な和ではない。例えば、「条件Ａ又はＢ」は、Ａが存在し且つＢが存在しない場合、Ａが存在せず且つＢが存在する場合、ＡもＢも両方とも存在する場合の何れの場合でも満たされるものである。
【００２７】
本開示はここで説明される処理を実行する装置にも関連している。その装置は、必要な目的に応じて特別に構築されてもよいし、コンピュータに格納されているコンピュータプログラムによって選択的にアクティブにされる又は再構成される汎用コンピュータで構築されてもよい。
【００２８】
また、ここで説明されるアルゴリズムは、特定のコンピュータその他の装置のどれにも固有に関連するものではない。さまざまな汎用システムがここで教示するものによるプログラムと共に使用されてよく、又は、必要な方法ステップを実行するように、よりいっそう特化した装置を構築することが便利なことが分かるかもしれない。これらさまざまなシステムに必要な構造は以下の説明から明らかになるであろう。さらに、本開示は特定のプログラミング言語のどれにも依存しない。ここで説明される本開示の教示内容を実現するのにさまざまなプログラミング言語が使用されてよいことが分かるであろう。
【００２９】
図１は、本開示を適用した画像形成システム１の全体構成例を示す図である。図１に示すように、画像形成システム１は、少なくとも１台の画像形成装置１０と、少なくとも１台の端末１３とが通信自在なものである。画像形成システム１は、認証デバイス２０を含み、認証デバイス２０は、１台以上の画像形成装置１０と通信自在なものである。画像形成システム１は、無線局５を含み、無線局５は、画像形成装置１０、端末１３、及び認証デバイス２０のそれぞれを中継することができるものである。なお、無線局５は画像形成システム１に存在しなくてもよい。
【００３０】
端末１３は、印刷データを少なくとも１台の画像形成装置１０に送信するものである。また、端末１３は、画像形成装置１０を制御するための各種ドライバプログラムがインストールされるものである。複数の画像形成装置１０のそれぞれの種類が異なる場合、端末１３には、複数の画像形成装置１０を制御するための複数種類の各種ドライバプログラムがそれぞれインストールされる。なお、端末１３は、例えば、デスクトップＰＣである。
【００３１】
画像形成装置１０は、画像形成部１４０と、トレイ１１６と、トレイセンサー１１７と、を備える。画像形成部１４０は、端末１３から送信される印刷データに対応する印刷ジョブに基づき、媒体に画像を形成するものである。トレイ１１６は、画像形成部１４０により画像が形成された媒体を出力物として載置させるものである。トレイセンサー１１７は、トレイ１１６に設けられ、トレイ１１６から出力物が取り出されたことを検知するものである。トレイセンサー１１７は、例えば、リミットスイッチ又は光電センサーから構成されればよい。複数の画像形成装置１０のそれぞれは、詳細については後述するように、原稿を読み取るための原稿読取機能、画像データに基づいて紙等の媒体に画像を形成するための画像形成機能、及びファクシミリデータを送受信するファクシミリ送受信機能が実現される。つまり、画像形成装置１０は、複数の機能を遂行可能なＭＦＰ（Ｍｕｌｔｉｆｕｎｃｔｉｏｎ  Ｐｅｒｉｐｈｅｒａｌ）として機能するものである。なお、複数の画像形成装置１０のそれぞれは同一の機能が実現されるものである。
【００３２】
通信媒体３は、例えば、ローカルエリアネットワークを構成し、接続形態は有線及び無線の何れであってもよい。また、通信媒体３は、インターネット等のワイドエリアネットワークに接続されている。なお、通信媒体３は、ローカルエリアネットワークに限定されず、公衆交換電話網（Ｐｕｂｌｉｃ  Ｓｗｉｔｃｈｅｄ  Ｔｅｌｅｐｈｏｎｅ  Ｎｅｔｗｏｒｋｓ）を構成してもよい。
【００３３】
認証デバイス２０は、ユーザーごとに携帯され、ユーザーを特定する個人情報を読み出し自在なものである。認証デバイス２０は、ユーザーとして印刷ジョブの依頼者に携帯される場合、個人情報のうち印刷ジョブの依頼者の依頼側識別情報を読み出し自在なものである。認証デバイス２０は、ユーザーとして出力物の取得者に携帯される場合、個人情報のうち出力物の取得者の取得側識別情報を読み出し自在なものである。また、認証デバイス２０は、詳細については後述するが、無線ＬＡＮ通信機能が実現されるものである。無線局５は、通信媒体３に接続された中継装置であり、無線ＬＡＮ通信機能が実現される認証デバイス２０と通信することにより、認証デバイス２０と接続可能である。なお、画像形成装置１０は、通信媒体３を介して端末１３又は認証デバイス２０とデータの送受信が可能である。なお、画像形成装置１０は、無線局５を介して認証デバイス２０とデータの送受信を行ってもよい。
【００３４】
図２は、認証デバイス２０の構成例を示す図である。図２に示すように、認証デバイス２０は、１つ以上のプロセッサ２０１と、読取部２０２と、生成部２０３と、メモリ２０４と、読出部２０５と、表示部２０７と、操作部２０８と、インターフェース部２０９と、メモリコントローラー２１１と、を含む。
【００３５】
読取部２０２は、ユーザーの生体情報を読み取るものである。ユーザーの生体情報は、指紋又は顔等のような身体的外観に基づく身体的特徴並びに音声又は署名等のような行動特性に基づく行動的特徴の何れかを符号化したものであるのが好ましい。例えば、ユーザーの生体情報が身体的特徴の１つである静脈である場合、読取部２０２は、赤外線カメラから構成されればよい。赤外線カメラによりユーザーの手のひら又は指等が撮影され、その撮影結果から静脈パターンが抽出されればよい。また、例えば、ユーザーの生体情報が行動的特徴の１つである音声である場合、読取部２０２は、音声を録音できる回路から構成されればよい。そのような回路により録音された音声の音声信号は、時間及び周波数の分布で表されるサウンドスペクトログラムに変換されればよい。生成部２０３は、読取部２０２により読み取られるユーザーの生体情報に基づき、個人情報として依頼側識別情報及び取得側識別情報の少なくとも一方に対応するデバイス識別情報を生成するものである。生成部２０３は、例えば、上記で説明した静脈パターン又はサウンドスペクトログラムで構成されるユーザーの生体情報と、デバイス識別情報とを関連付けるデータを生成するものである。
【００３６】
メモリ２０４は、プロセッサ２０１が実行するプログラム、又はそのプログラムを実行するために必要なデータを記憶する。プロセッサ２０１は、メモリ２０４に記憶されたプログラムを、プロセッサ２０１に含まれる不図示のＲＡＭ等にロードして実行する。また、メモリ２０４は、生成部２０３により生成されるデバイス識別情報を記憶するものである。また、メモリ２０４は、例えば、デバイス識別情報から構成されるデータベースを保持するものである。読出部２０５は、メモリ２０４に記憶されるデバイス識別情報を読み出すものである。
【００３７】
表示部２０７は、表示装置であり、例えば、液晶表示装置からなる。表示部２０７は、ユーザーに指示メニューを表示する。表示部２０７は、読出部２０５又はインターフェース部２０９により取得された各種情報を表示する。操作部２０８は、ユーザーの操作による指示を受け付けるものである。インターフェース部２０９は、認証デバイス２０と、画像形成装置１０との間の通信を確立させ、各種データの送受信を行うものである。なお、インターフェース部２０９は、無線局５と通信し、認証デバイス２０を通信媒体３に接続してもよい。
【００３８】
図３は、画像形成装置１０の構成例を示す図である。図３に示すように、画像形成装置１０は、メイン回路１１０と、自動原稿搬送装置１２０と、原稿読取部１３０と、上記で概略を説明した画像形成部１４０と、給紙部１５０と、操作パネル１６０とを含み、それらがバス１０１を介して接続されている。自動原稿搬送装置１２０は、原稿を原稿読取部１３０に搬送するものである。原稿読取部１３０は、自動原稿搬送装置１２０により搬送された原稿を読み取るものである。画像形成部１４０は、原稿読取部１３０により読み取られた原稿の画像データに基づいて用紙等の記録媒体に画像を形成するものである。給紙部１５０は、画像形成部１４０に用紙等の記録媒体を供給するものである。
【００３９】
操作パネル１６０は、画像形成装置１０の上面側に設けられ、表示部１６１及び操作部１６３を含む。操作パネル１６０は、印刷ジョブに関する内容の表示及び操作の受け付けをするものである。表示部１６１は、表示装置であり、例えば、液晶表示装置からなる。表示部１６１は、ユーザーへの指示メニュー及び原稿読取部１３０により読み取られた原稿の画像データに関する情報等を表示する。
【００４０】
操作部１６３は、ユーザーの操作による指示を受け付けるものである。操作部１６３は、ハードキー部１６７を含む。ハードキー部１６７は、複数のキーからなる。複数のキーのそれぞれは、各種の指示、文字、及び数字等のデータの入力を受け付けるものである。操作部１６３は、タッチパネル１６５を含む。タッチパネル１６５は、表示部１６１上に設けられ、表示部１６１の表示画面が触れられた場所に対応する座標を検出するものである。
【００４１】
メイン回路１１０は、プロセッサ１１３と、インターフェース部１１１と、ファクシミリ部１１２とを含む。プロセッサ１１３は、自動原稿搬送装置１２０、原稿読取部１３０、画像形成部１４０、給紙部１５０、操作パネル１６０、及びトレイセンサー１１７と接続され、画像形成装置１０全体を制御するものである。
【００４２】
インターフェース部１１１は、画像形成装置１０と、認証デバイス２０との間又は画像形成装置１０と、端末１３との間の通信を確立させ、各種データの送受信を行うものである。なお、インターフェース部１１１は、画像形成装置１０を通信媒体３に接続してもよい。よって、プロセッサ１１３は、インターフェース部１１１を介して、他機の画像形成装置１０又は認証デバイス２０と通信することにより、各種データを送受信するものである。インターフェース部１１１は、通信媒体３を介してインターネットに接続された各種機器と通信可能なものである。メモリ１１５は、プロセッサ１１３が実行するプログラム又はそのプログラムを実行するために必要なデータをメモリコントローラー１１４を介して記憶するものである。
【００４３】
ファクシミリ部１１２は、公衆交換電話網（ＰＳＴＮ）に接続されるものである。ファクシミリ部１１２は、公衆交換電話網にファクシミリデータを送信するものである。ファクシミリ部１１２は、公衆交換電話網からファクシミリデータを受信するものである。ファクシミリ部１１２は、受信したファクシミリデータを、メモリコントローラー１１４を介してメモリ１１５に記憶するものであり、又は画像形成部１４０に出力するものである。画像形成部１４０は、ファクシミリ部１１２により受信されたファクシミリデータを用紙にプリントすることができるものである。ファクシミリ部１１２は、メモリ１１５に記憶されたデータをファクシミリデータに変換し、公衆交換電話網に接続された不図示のファクシミリ装置に送信するものである。
【００４４】
端末１３は、依頼側識別情報と、デバイス識別情報とに基づき、印刷ジョブの依頼者とユーザーとが同一人物であると判定する場合、デバイス識別情報を関連付けた印刷データを送信するものである。よって、少なくとも１台の画像形成装置１０は、少なくとも１台の端末１３からデバイス識別情報が関連付けられた印刷データが送信される場合、印刷ジョブにデバイス識別情報を関連付けるものである。なお、認証デバイス２０は、出力物の取得者に携帯される場合、デバイス識別情報を取得側識別情報に設定するものである。
【００４５】
ところで、端末１３から送信された印刷データに対応する印刷ジョブが実行され、画像形成装置１０から出力された出力物がトレイ１１６から取り出されるとき、印刷ジョブの依頼者が出力物を取り出す場合と、印刷ジョブの依頼者以外が出力物を取り出す場合とがある。印刷ジョブの依頼者以外が出力物を取り出す場合であっても、印刷ジョブの実行により印刷ジョブの属性が出力完了状態となれば、ユーザーは端末１３から画像形成装置１０に再度印刷データを送らせる必要がある。そこで、認証デバイス２０で読み出し自在な個人情報を利用して、印刷ジョブの依頼者と、出力物の取得者とが同一人物であるか否かの判定結果に応じて、印刷ジョブの属性を出力待ち状態に設定するのが好ましい。個人情報は、例えば、個人情報テーブルに設定されるものである。個人情報テーブルで設定される個人情報は、依頼側識別情報又は取得側識別情報であって、具体的には、ユーザーの生体情報、デバイス識別情報、及び氏名等のようにユーザーを特定できる名称等が関連付けて構成されるものである。なお、デバイス識別情報は、例えば、数字列等から構成されるものであって、認証デバイス２０ごとに設定される固有のものである。
【００４６】
印刷ジョブは、バッファに保持されるものである。バッファは、メモリ１１５に形成される論理的な記憶領域であり、例えば、キュー等のようなデータ構造が形成されるものである。このようなバッファに保持される印刷ジョブが操作パネル１６０を介して参照されるときには、例えば、ジョブリストとしてユーザーに表示される。画像形成装置１０は、バッファに保持される印刷ジョブを開始するものである。
【００４７】
具体的には、印刷ジョブは、１つ以上のプロセッサ１１３により制御されるものである。１つ以上のプロセッサ１１３は、１個以上のモジュールを実行するものである。１個以上のモジュールは、印刷ジョブを管理するためのジョブ管理指示を含むものである。ジョブ管理指示は、トレイセンサー１１７により出力物がトレイ１１６から取り出されたことが検知され、且つ出力物の取得者と、印刷ジョブの依頼者とに関連性がないと判定される場合、印刷ジョブの属性を出力待ち状態に設定するためのものである。
【００４８】
１個以上のモジュールは、個人情報含有判定指示を含むものである。個人情報含有判定指示は、認証デバイス２０により読み出される依頼側識別情報及び取得側識別情報に基づき、出力物の取得者と、印刷ジョブの依頼者とに関連性があるか否かを判定するためのものである。個人情報含有判定指示は、デバイス識別情報を介して、依頼側識別情報と、取得側識別情報とが同一である場合、出力物の依頼者と出力物の取得者とが同一人物であると判定するものである。
【００４９】
なお、ジョブ管理指示は、印刷ジョブの属性が出力完了状態に設定される印刷ジョブをバッファから削除させるものである。一方、ジョブ管理指示は、印刷ジョブの属性が出力待ち状態に設定される印刷ジョブをバッファに保持させるものである。
【００５０】
図４は、印刷データの処理例を説明するフローチャートである。端末１３側の処理と、画像形成装置１０側の処理とをそれぞれ説明する。ステップＳ１１〜Ｓ１４の処理が、端末１３により実行される。一方、ステップＳ３１〜Ｓ４２の処理が、画像形成装置１０により実行される。
【００５１】
ステップＳ１１において、認証デバイス２０が検出されたか否かが判定される。認証デバイス２０が検出されたと判定される場合（ステップＳ１１；Ｙ）、ステップＳ１２に処理が移行する。一方、認証デバイス２０が検出されないと判定される場合（ステップＳ１１；Ｎ）、そのままステップＳ１１の処理の待機状態となる。ステップＳ１２において、依頼側識別情報とデバイス識別情報とが同一であるか否かが判定される。依頼側識別情報とデバイス識別情報とが同一であると判定される場合（ステップＳ１２；Ｙ）、ステップＳ１３に処理が移行する。一方、依頼側識別情報とデバイス識別情報とが同一でないと判定される場合（ステップＳ１２；Ｎ）、端末１３から画像形成装置１０に印刷データが送信されず、端末１３の処理は終了する。ステップＳ１３において、デバイス識別情報が印刷データに関連付けられる。ステップＳ１４において、デバイス識別情報が関連付けられた印刷データが画像形成装置１０に送信され、端末１３の処理は終了する。
【００５２】
ステップＳ３１において、デバイス識別情報が関連付けられた印刷データを受信したか否かが判定される。デバイス識別情報が関連付けられた印刷データを受信したと判定される場合（ステップＳ３１；Ｙ）、ステップＳ３２に処理が移行する。一方、デバイス識別情報が関連付けられた印刷データを受信しないと判定される場合（ステップＳ３１；Ｎ）、そのままステップＳ３１の処理の待機状態となる。ステップＳ３２において、印刷データが印刷ジョブとしてバッファに保持される。例えば、印刷データに出力順序情報等が付加されたものが印刷ジョブとなる。ステップＳ３３において、印刷ジョブにデバイス識別情報が関連付けられる。印刷ジョブに関連付けられるデバイス識別情報は、端末１３から送信されるものを利用すればよい。ステップＳ３４において、デバイス識別情報が関連付いた印刷ジョブが実行される。
【００５３】
ステップＳ３５において、トレイ１１６から出力物が取り出されたか否かが判定される。トレイ１１６から出力物が取り出されたと判定される場合（ステップＳ３５；Ｙ）、ステップＳ３６に処理が移行する。一方、トレイ１１６から出力物が取り出されないと判定される場合（ステップＳ３５；Ｎ）そのままステップＳ３５の処理の待機状態となる。ステップＳ３６において、画像形成装置１０の近くの認証デバイス２０に記憶される個人情報が個人情報テーブルに設定されているか否かが判定される。画像形成装置１０の近くの認証デバイス２０に記憶される個人情報が個人情報テーブルに設定されていると判定される場合（ステップＳ３６；Ｙ）、ステップＳ４０に処理が移行する。一方、画像形成装置１０の近くの認証デバイス２０に記憶される個人情報が個人情報テーブルに設定されていないと判定される場合（ステップＳ３６；Ｎ）、ステップＳ３７に処理が移行する。ステップＳ３７において、出力物の取得者と、印刷ジョブの依頼者とに関連性がないと判定される。ステップＳ３８において、印刷ジョブの属性が出力待ち状態に設定される。ステップＳ３９において、印刷ジョブがバッファに保持され、印刷データの処理は終了する。一方、ステップＳ４０において、出力物の取得者と、印刷ジョブの依頼者とに関連性があると判定される。ステップＳ４１において、印刷ジョブの属性が出力完了状態に設定される。ステップＳ４２において、印刷ジョブがバッファから削除され、印刷データの処理は終了する。
【００５４】
ところで、端末１３から画像形成装置１０に印刷データを送信させたユーザーがその画像形成装置１０が存在する場所に移動する場合、画像形成装置１０は、自機に近づくユーザーが携帯している認証デバイス２０と、ユーザーにより画像形成装置１０に送信された印刷データに対応する印刷ジョブとを特定し、且つユーザーが画像形成装置１０の前に到着する前に印刷ジョブの処理を開始させることにより、ユーザーの印刷待ち時間を軽減させるものがある。このような処理下では、画像形成装置１０は、ユーザーが一旦画像形成装置１０に近づいてから離れている間に、画像形成装置１０から出力物が出力される。よって、ユーザーは出力物が出力される画像形成装置１０が存在する場所には不在なため、出力物は画像形成装置１０に放置される。この場合、他のユーザーにより出力物を持っていかれたり、又は捨てられる恐れがある。さらに、印刷ジョブの属性が出力完了状態であれば、ユーザーは端末１３から画像形成装置１０に印刷データを再度送らせる必要がある。そこで、認証デバイス２０で読み出し自在な個人情報を利用して、印刷ジョブの依頼者と、出力物の取得者とが同一人物であるか否かの判定結果に応じて、印刷ジョブの属性を出力待ち状態に設定するのが好ましい。
【００５５】
具体的には、１個以上のモジュールは、存否検出指示と、認証指示とを含むものである。存否検出指示は、認証デバイス２０が少なくとも１台の画像形成装置１０の近くにあるか否かを検出するためのものである。認証指示は、存否検出指示により認証デバイス２０が少なくとも１台の画像形成装置１０の近くにあると検出される場合、個人情報テーブルに設定されている個人情報と、存否検出指示により検出された認証デバイス２０に記憶される個人情報と、に基づき、認証デバイス２０をユーザーが保証されている保証認証デバイスとして認証するためのものである。個人情報テーブルに設定されている個人情報は、上記で説明したデバイス識別情報として記憶されるものである。一方、存否検出指示により検出された認証デバイス２０に記憶される個人情報は、読み取られたユーザーの生体情報の特徴量が抽出された抽出データである。このような抽出データは、温湿度環境等によりゆらぎが発生するものであるため、個人情報テーブルに設定されている個人情報と完全に一致することは難しい。そこで、例えば、個人情報テーブルに設定されている個人情報と、抽出データとの類似度を求め、その求めた類似度が予め設定される閾値を超えるか否かに応じて両者が一致するか否かが判定されることが好ましい。
【００５６】
つまり、画像形成装置１０は、認証指示により認証デバイス２０が保証認証デバイスとして認証される場合、保証認証デバイスの個人情報に含まれるデバイス識別情報が関連付けられた印刷ジョブを開始するものである。また、画像形成装置１０は、認証指示により認証デバイス２０が保証認証デバイスとして認証される場合、バッファに保持されている印刷ジョブのうち、印刷ジョブの属性が出力待ち状態に設定されている印刷ジョブを開始するものである。
【００５７】
具体的には、存否検出指示は、画像形成装置１０からの存否判定距離を設定自在な存否範囲Ａ内で認証デバイス２０を検出させるものである。認証指示は、存否検出指示により認証デバイス２０が存否範囲Ａ内で検出され、且つ存否範囲Ａ内で検出された認証デバイス２０に記憶される個人情報が個人情報テーブルに設定されている場合、認証デバイス２０を保証認証デバイスとして認証させるものである。
【００５８】
ジョブ管理指示は、存否検出指示により認証デバイス２０が存否範囲Ａ内で検出され、且つ認証指示により認証デバイス２０が保証認証デバイスとして認証される場合、印刷ジョブの属性を出力完了状態に設定させるものである。一方、ジョブ管理指示は、存否検出指示により認証デバイス２０が存否範囲Ａ内で検出され、且つ認証指示により認証デバイス２０が保証認証デバイスとして認証されない場合、印刷ジョブの属性を出力待ち状態に設定させるものである。なお、存否範囲Ｂ内にある画像形成装置１０についても同様である。
【００５９】
なお、存否範囲Ａは、段階的なものであってもよい。例えば、存否範囲Ａ１から存否範囲Ａ２まで段階的に存否判定距離が短くなるように設定されてもよい。存否範囲Ｂについても同様に、存否範囲Ｂ１から存否範囲Ｂ２まで段階的に存否判定距離が短くなるように設定されてもよい。このようにすることで、例えば、存否範囲Ａ１と、存否範囲Ｂ１との両方の範囲に認証デバイス２０が存在していたとしても、時間の経過と共に、認証デバイス２０を携帯するユーザーが一部の画像形成装置１０に近づいた場合には、認証デバイス２０は、存否範囲Ａ２の範囲に存在し、且つ存否範囲Ｂ２の範囲に存在しなくなる場合が生じるため、認証デバイス２０がどの画像形成装置１０に近づいているのかを判定することができる。
【００６０】
図５は、認証デバイス２０の検出処理を含めた印刷データの処理例を説明するフローチャートである。端末１３の処理は図４で説明したステップＳ１１〜Ｓ１４と同様であるため、その説明については省略する。画像形成装置１０の処理のうちステップＳ５１〜Ｓ５３の処理は、図４で説明したステップＳ３１〜Ｓ３３と同様であるため、その説明については省略する。
【００６１】
ステップＳ５４において、存否範囲Ａ内で認証デバイス２０が検出されたか否かが判定される。存否範囲Ａ内で認証デバイス２０が検出されたと判定される場合（ステップＳ５４；Ｙ）、ステップＳ５５に処理が移行する。一方、存否範囲Ａ内で認証デバイス２０が検出されないと判定される場合（ステップＳ５４；Ｎ）、そのままステップＳ５４の処理の待機状態となる。なお、存否範囲Ｂについても同様である。
【００６２】
ステップＳ５５において、認証デバイス２０に記憶される個人情報が個人情報テーブルに設定されているか否かが判定される。認証デバイス２０に記憶される個人情報が個人情報テーブルに設定されていると判定される場合（ステップＳ５５；Ｙ）、ステップＳ５６に処理が移行する。一方、認証デバイス２０に記憶される個人情報が個人情報テーブルに設定されていないと判定される場合（ステップＳ５５；Ｎ）、そのままステップＳ５５の処理の待機状態となる。
【００６３】
ステップＳ５６において、認証デバイス２０が保証認証デバイスとして認証される。つまり、生体認証の結果、個人情報テーブルに設定されている個人情報と、認証デバイス２０に読み取られた個人情報との類似度が予め設定された閾値を超えたため、一致していると判定されたことになる。ステップＳ５７において、保証認証デバイスの個人情報に含まれるデバイス識別情報が関連付いた印刷ジョブが開始される。
【００６４】
つまり、ステップＳ５１〜Ｓ５７の一連の処理により、存否範囲Ａ内で検出された認証デバイス２０が保証認証デバイスとして認証されれば、保証認証デバイスの個人情報に含まれるデバイス識別情報が関連付いた印刷ジョブが実行される。なお、ステップＳ５７のデバイス識別情報は、端末１３側で関連付けられているものに相当するため、依頼側識別情報である。
【００６５】
ステップＳ５８において、トレイ１１６から出力物が取り出されたか否かが判定される。トレイ１１６から出力物が取り出されたと判定される場合（ステップＳ５８；Ｙ）、ステップＳ５９に処理が移行する。一方、トレイ１１６から出力物が取り出されないと判定される場合（ステップＳ５８；Ｎ）、そのままステップＳ５８の処理の待機状態となる。ステップＳ５９において、存否範囲Ａ内で認証デバイス２０が検出されたか否かが判定される。存否範囲Ａ内で認証デバイス２０が検出されたと判定される場合（ステップＳ５９；Ｙ）、ステップＳ６０に処理が移行する。一方、存否範囲Ａ内で認証デバイス２０が検出されないと判定される場合（ステップＳ５９；Ｎ）、そのままステップＳ５９の処理の待機状態となる。
【００６６】
ステップＳ６０において、認証デバイス２０に記憶される個人情報が個人情報テーブルに設定されているか否かが判定される。認証デバイス２０に記憶される個人情報が個人情報テーブルに設定されていると判定される場合（ステップＳ６０；Ｙ）、ステップＳ６１に処理が移行する。一方、認証デバイス２０に記憶される個人情報が個人情報テーブルに設定されていないと判定される場合（ステップＳ６０；Ｎ）、ステップＳ６３に処理が移行する。ステップＳ６１において、認証デバイス２０が保証認証デバイスとして認証される。
【００６７】
ステップＳ６２において、保証認証デバイスの個人情報に含まれるデバイス識別情報が関連付いた印刷ジョブの属性が出力待ち状態に設定されているか否かが判定される。保証認証デバイスの個人情報に含まれるデバイス識別情報が関連付いた印刷ジョブの属性が出力待ち状態に設定されていると判定される場合（ステップＳ６２；Ｙ）、ステップＳ６８に処理が移行する。一方、保証認証デバイスの個人情報に含まれるデバイス識別情報が関連付いた印刷ジョブの属性が出力待ち状態に設定されていないと判定される場合（ステップＳ６２；Ｎ）、ステップＳ６３に処理が移行する。なお、ステップＳ６２のデバイス識別情報は、出力物がトレイ１１６から取り出されたときに存否範囲Ａ内で検出された認証デバイス２０が保証認証デバイスとして認証され、且つその保証認証デバイスの個人情報に含まれるものであるため、取得側識別情報である。
【００６８】
ステップＳ６３において、依頼側識別情報と取得側識別情報とが同一であるか否かが判定される。依頼側識別情報と取得側識別情報とが同一であると判定される場合（ステップＳ６３；Ｙ）、ステップＳ６６に処理が移行する。一方、依頼側識別情報と取得側識別情報とが同一でないと判定される場合（ステップＳ６３；Ｎ）、ステップＳ６４に処理が移行する。ステップＳ６４において、印刷ジョブの属性が出力待ち状態に設定される。ステップＳ６５において、印刷ジョブがバッファに保持され、ステップＳ５９に処理が戻る。
【００６９】
ステップＳ６６において、印刷ジョブの属性が出力完了状態に設定される。ステップＳ６７において、印刷ジョブがバッファから削除され、認証デバイス２０の検出処理を含めた印刷データの処理は終了する。ステップＳ６８において、出力待ち状態の印刷ジョブが開始され、ステップＳ６６に処理が戻る。
【００７０】
ジョブ管理指示は、出力待ち状態に設定されている印刷ジョブと同一のものがバッファに保持される場合、出力待ち状態に設定されている印刷ジョブをバッファから削除させるものである。
【００７１】
図６は、重複印刷ジョブ判定処理を説明するフローチャートである。なお、重複印刷ジョブ判定処理は、例えば、図４のステップＳ３８又は図５のステップＳ６４により印刷ジョブの属性が出力待ち状態に設定された場合に想定されるものである。
【００７２】
ステップＳ８１において、出力待ち状態に設定されている印刷ジョブが存在するか否かが判定される。出力待ち状態に設定されている印刷ジョブが存在すると判定される場合（ステップＳ８１；Ｙ）、ステップＳ８２に処理が移行する。一方、出力待ち状態に設定されている印刷ジョブが存在しないと判定される場合（ステップＳ８１；Ｎ）、そのままステップＳ８１の処理の待機状態となる。ステップＳ８２において、新たにバッファに保持された印刷ジョブが存在するか否かが判定される。新たにバッファに保持された印刷ジョブが存在すると判定される場合（ステップＳ８２；Ｙ）、ステップＳ８３に処理が移行する。一方、新たにバッファに保持された印刷ジョブが存在しないと判定される場合（ステップＳ８２；Ｎ）、そのままステップＳ８２の処理の待機状態となる。ステップＳ８３において、出力待ち状態に設定されている印刷ジョブ及び新たにバッファに保持された印刷ジョブの何れか一方がバッファから削除され、重複ジョブ判定処理は終了する。
【００７３】
また、ジョブ管理指示は、分散印刷の指示を受けるものであり、且つ少なくとも１台の画像形成装置１０であって、複数台の画像形成装置１０のうち一部の画像形成装置１０の存否範囲Ａ内で認証デバイス２０が検出される場合、複数台の画像形成装置１０のうち他の一部の画像形成装置１０に、一部の画像形成装置１０で実行されるものと同一の印刷ジョブを開始させるものである。なお、存否範囲Ｂ内にある画像形成装置１０についても同様である。
【００７４】
図７は、分散処理の処理例を説明するフローチャートである。なお、分散処理は、例えば、図４のステップＳ１４によりデバイス識別情報が関連付けられた印刷データが画像形成装置１０に送信された場合に想定されるものである。
【００７５】
ステップＳ９１において、分散印刷の指示があるか否かが判定される。分散印刷の指示があると判定される場合（ステップＳ９１；Ｙ）、ステップＳ９２に処理が移行する。一方、分散印刷の指示がないと判定される場合（ステップＳ９１；Ｎ）、そのままステップＳ９１の処理の待機状態となる。ステップＳ９２において、複数台の画像形成装置１０のうち一部の画像形成装置１０の存否範囲Ａ内で認証デバイス２０が検出されるか否かが判定される。複数台の画像形成装置１０のうち一部の画像形成装置１０の存否範囲Ａ内で認証デバイス２０が検出されると判定される場合（ステップＳ９２；Ｙ）、ステップＳ９３に処理が移行する。一方、複数台の画像形成装置１０のうち一部の画像形成装置１０の存否範囲Ａ内で認証デバイス２０が検出されないと判定される場合（ステップＳ９２；Ｎ）、そのままステップＳ９２の処理の待機状態となる。ステップＳ９３において、複数台の画像形成装置１０のうち他の一部の画像形成装置１０に一部の画像形成装置１０で実行されるものと同一の印刷ジョブが開始され、分散処理は終了する。
【００７６】
なお、上記の場合、他の一部の画像形成装置１０は存否範囲Ｂ内で認証デバイス２０を検出するものとなる。一方、ステップＳ９２の一部の画像形成装置１０が存否範囲Ｂ内で認証デバイス２０を検出するものであれば、ステップＳ９３の他の一部の画像形成装置１０は存否範囲Ａ内で認証デバイス２０を検出するものとなる。
【００７７】
画像形成装置１０は、存否検出指示により検出される認証デバイス２０のうち、認証指示により保証認証デバイスとして認証される認証デバイス２０と、認証指示により保証認証デバイスとして認証されない認証デバイス２０とが存在する場合、認証指示により保証認証デバイスとして認証される認証デバイス２０のデバイス識別情報が関連付けられた印刷ジョブを優先する。
【００７８】
図８は、優先処理の処理例を説明するフローチャートである。なお、優先処理は、例えば、画像形成装置１０の周囲に複数の認証デバイス２０が存在する場合であって、且つ存否範囲Ａ内で認証デバイス２０を検出する画像形成装置１０を想定するが、存否範囲Ｂ内で認証デバイス２０を検出する画像形成装置１０も同様である。
【００７９】
ステップＳ１０１において、存否範囲Ａ内で認証デバイス２０が検出されたか否かが判定される。存否範囲Ａ内で認証デバイス２０が検出されたと判定される場合（ステップＳ１０１；Ｙ）、ステップＳ１０２に処理が移行する。一方、存否範囲Ａ内で認証デバイス２０が検出されないと判定される場合（ステップＳ１０１；Ｎ）、そのままステップＳ１０１の処理の待機状態となる。ステップＳ１０２において、認証デバイス２０に記憶される個人情報が個人情報テーブルに設定されているか否かが判定される。認証デバイス２０に記憶される個人情報が個人情報テーブルに設定されていると判定される場合（ステップＳ１０２；Ｙ）、ステップＳ１０３に処理が移行する。一方、認証デバイス２０に記憶される個人情報が個人情報テーブルに設定されていないと判定される場合（ステップＳ１０２；Ｎ）、ステップＳ１１０に処理が移行する。ステップＳ１０３において、認証デバイス２０が保証認証デバイスとして認証される。ステップＳ１０４において、存否範囲Ａ内で検出された認証デバイス２０が他にあるか否かが判定される。存否範囲Ａ内で検出された認証デバイス２０が他にあると判定される場合（ステップＳ１０４；Ｙ）、ステップＳ１０２に処理が戻る。一方、存否範囲Ａ内で検出された認証デバイス２０が他にないと判定される場合（ステップＳ１０４；Ｎ）、ステップＳ１０５に処理が移行する。
【００８０】
ステップＳ１０５において、保証認証デバイスとして認証される認証デバイス２０と、保証認証デバイスとして認証されない認証デバイス２０とが存在するか否かが判定される。保証認証デバイスとして認証される認証デバイス２０と、保証認証デバイスとして認証されない認証デバイス２０とが存在すると判定される場合（ステップＳ１０５；Ｙ）、ステップＳ１０７に処理が移行する。一方、保証認証デバイスとして認証される認証デバイス２０と、保証認証デバイスとして認証されない認証デバイス２０とが存在しないと判定される場合（ステップＳ１０５；Ｎ）、ステップＳ１０６に処理が移行する。ステップＳ１０６において、保証認証デバイスとして認証される認証デバイス２０が存在するか否かが判定される。保証認証デバイスとして認証される認証デバイス２０が存在すると判定される場合（ステップＳ１０６；Ｙ）、ステップＳ１０７に処理が移行する。一方、保証認証デバイスとして認証される認証デバイス２０が存在しないと判定される場合（ステップＳ１０６；Ｎ）、ステップＳ１０８に処理が移行する。
【００８１】
ステップＳ１０７において、保証認証デバイスとして認証される認証デバイス２０のデバイス識別情報が関連付けられた印刷ジョブが開始される。ステップＳ１０８において、保証認証デバイスとして認証されない認証デバイス２０が存在するか否かが判定される。保証認証デバイスとして認証されない認証デバイス２０が存在すると判定される場合（ステップＳ１０８；Ｙ）、ステップＳ１０９に処理が移行する。一方、保証認証デバイスとして認証されない認証デバイス２０が存在しないと判定される場合（ステップＳ１０８；Ｎ）、優先処理は終了する。ステップＳ１０９において、保証認証デバイスとして認証されない認証デバイス２０のデバイス識別情報が関連付けられた印刷ジョブが開始され、優先処理は終了する。
【００８２】
ジョブ管理指示は、出力物の取得者と、印刷ジョブの依頼者とに関連性がなく、且つ存否範囲Ａ内で検出される認証デバイス２０の個人情報に含まれるデバイス識別情報が依頼側識別情報と異なると判定される場合、依頼側識別情報を読み出し自在な認証デバイス２０に取得側識別情報を通知すると共に、印刷ジョブの属性を出力完了状態及び出力待ち状態の何れか一方に設定自在にさせるものである。なお、存否範囲Ｂ内にある画像形成装置１０も同様である。
【００８３】
図９は、通知処理の処理例を説明するフローチャートである。ステップＳ１２１において、出力物の取得者と、印刷ジョブの依頼者とに関連性がないか否かが判定される。出力物の取得者と、印刷ジョブの依頼者とに関連性がないと判定される場合（ステップＳ１２１；Ｙ）、ステップＳ１２２に処理が移行する。一方、出力物の取得者と、印刷ジョブの依頼者とに関連性があると判定される場合（ステップＳ１２１；Ｎ）、通知処理は終了する。ステップＳ１２２において、存否範囲Ａ内で認証デバイス２０が検出されたか否かが判定される。存否範囲Ａ内で認証デバイス２０が検出されたと判定される場合（ステップＳ１２２；Ｙ）、ステップＳ１２３に処理が移行する。一方、存否範囲Ａ内で認証デバイス２０が検出されないと判定される場合（ステップＳ１２２；Ｎ），そのままステップＳ１２２の処理の待機状態となる。なお、存否範囲Ｂについても同様である。ステップＳ１２３において、検出された認証デバイス２０の個人情報に含まれるデバイス識別情報が依頼側識別情報と異なるか否かが判定される。検出された認証デバイス２０の個人情報に含まれるデバイス識別情報が依頼側識別情報と異なると判定される場合（ステップＳ１２３；Ｙ）、ステップＳ１２４に処理が移行する。一方、検出された認証デバイス２０の個人情報に含まれるデバイス識別情報が依頼側識別情報と異ならないと判定される場合（ステップＳ１２３；Ｎ）、通知処理は終了する。ステップＳ１２４において、依頼側識別情報を読み出し自在な認証デバイス２０に取得側識別情報を通知する。ステップＳ１２５において、印刷ジョブの属性を出力完了状態及び出力待ち状態の何れか一方に設定自在にさせ、通知処理は終了する。
【００８４】
個人情報は、出力物を取得可能な権限情報が付加自在である。１個以上のモジュールは、権限情報含有判定指示を含むものである。権限情報含有判定指示は、個人情報に出力物を取得可能な権限情報が付加されている場合、出力物の取得者と、印刷ジョブの依頼者とに関連性があると判定するためのものである。
【００８５】
図１０は、権限処理の処理例を説明するフローチャートである。ステップＳ１４１において、トレイ１１６から出力物が取り出されたか否かが判定される。トレイ１１６から出力物が取り出されたと判定される場合（ステップＳ１４１；Ｙ）、ステップＳ１４２に処理が移行する。一方、トレイ１１６から出力物が取り出されないと判定される場合（ステップＳ１４１；Ｎ）、そのままステップＳ１４１の処理の待機状態となる。ステップＳ１４２において、出力物を取得可能な権限情報が個人情報に付加されているか否かが判定される。出力物を取得可能な権限情報が個人情報に付加されていると判定される場合（ステップＳ１４２；Ｙ）、ステップＳ１４３に処理が以降する。一方、出力物を取得可能な権限情報が個人情報に付加されていないと判定される場合（ステップＳ１４２；Ｎ）、権限処理は終了する。ステップＳ１４３において、出力物の取得者と、印刷ジョブの依頼者とに関連性があると判定され、権限処理は終了する。
【００８６】
ジョブ管理指示は、一部の画像形成装置１０のトレイセンサー１１７によりトレイ１１６から出力物が取り出されたことが検知され、且つ認証デバイス２０が他の一部の画像形成装置１０の存否範囲Ｂ内で検出される場合、他の一部の画像形成装置１０に印刷ジョブを開始させるものである。
【００８７】
図１１は、出力先変更処理の処理例を説明するフローチャートである。ここでは、一部の画像形成装置１０が存否範囲Ａ内で認証デバイス２０を検出し、他の一部の画像形成装置１０が存否範囲Ｂ内で認証デバイス２０を検出することを想定するが、一部の画像形成装置１０が存否範囲Ｂ内で認証デバイス２０を検出し、他の一部の画像形成装置１０が存否範囲Ａ内で認証デバイス２０を検出することを想定してもよい。
【００８８】
ステップＳ１５１において、一部の画像形成装置１０のトレイセンサー１１７によりトレイ１１６から出力物が取り出されたことが検知され、且つ認証デバイス２０が他の一部の画像形成装置１０の存否範囲Ｂ内で検出されるか否かが判定される。一部の画像形成装置１０のトレイセンサー１１７によりトレイ１１６から出力物が取り出されたことが検知され、且つ認証デバイス２０が他の一部の画像形成装置１０の存否範囲Ｂ内で検出されると判定される場合（ステップＳ１５１；Ｙ）、ステップＳ１５２に処理が移行する。一方、一部の画像形成装置１０のトレイセンサー１１７によりトレイ１１６から出力物が取り出されたことが検知され、且つ認証デバイス２０が他の一部の画像形成装置１０の存否範囲Ｂ内で検出されないと判定される場合（ステップＳ１５１；Ｎ）、出力先変更処理は終了する。ステップＳ１５２において、他の一部の画像形成装置１０に印刷ジョブを開始させ、出力先変更処理は終了する。
【００８９】
ジョブ管理指示は、一部の画像形成装置１０のトレイセンサー１１７によりトレイ１１６から出力物が取り出されたことが検知されず、且つ認証デバイス２０が他の一部の画像形成装置１０の存否範囲Ｂ内で検出される場合、他の一部の画像形成装置１０の操作パネル１６０に、出力物が一部の画像形成装置１０のトレイ１１６に残っている旨を表示させると共に印刷ジョブを開始させる操作を受け付けさせるものである。
【００９０】
図１２は、出力先変更処理の別の処理例を説明するフローチャートである。ここでは、一部の画像形成装置１０が存否範囲Ａ内で認証デバイス２０を検出し、他の一部の画像形成装置１０が存否範囲Ｂ内で認証デバイス２０を検出することを想定するが、一部の画像形成装置１０が存否範囲Ｂ内で認証デバイス２０を検出し、他の一部の画像形成装置１０が存否範囲Ａ内で認証デバイス２０を検出することを想定してもよい。
【００９１】
ステップＳ１６１において、一部の画像形成装置１０のトレイセンサー１１７によりトレイ１１６から出力物が取り出されたことが検知されず、且つ認証デバイス２０が他の一部の画像形成装置１０の存否範囲Ｂ内で検出されるか否かが判定される。一部の画像形成装置１０のトレイセンサー１１７によりトレイ１１６から出力物が取り出されたことが検知されず、且つ認証デバイス２０が他の一部の画像形成装置１０の存否範囲Ｂ内で検出されると判定される場合（ステップＳ１６１；Ｙ）、ステップＳ１６２に処理が移行する。一方、一部の画像形成装置１０のトレイセンサー１１７によりトレイ１１６から出力物が取り出されたことが検知されず、且つ認証デバイス２０が他の一部の画像形成装置１０の存否範囲Ｂ内で検出されないと判定される場合（ステップＳ１６１；Ｎ）、出力先変更処理は終了する。ステップＳ１６２において、他の一部の画像形成装置１０の操作パネル１６０に、出力物が一部の画像形成装置１０のトレイ１１６に残っている旨を表示させると共に印刷ジョブを開始させる操作を受け付けさせ、出力先変更処理は終了する。
【００９２】
１個以上のモジュールは、入力含有判定指示を含む。入力含有判定指示は、操作パネル１６０により受け付けられる操作が、出力物の取得者と、印刷ジョブの依頼者と、を同一人物であると判定されるものである場合、出力物の取得者と、印刷ジョブの依頼者とに関連性があると判定するためのものである。
【００９３】
図１３は、手認証処理の処理例を説明するフローチャートである。ステップＳ１７１において、操作パネル１６０により操作が受け付けられたか否かが判定される。操作パネル１６０により操作が受け付けられたと判定される場合（ステップＳ１７１；Ｙ）、ステップＳ１７２に処理が移行する。一方、操作パネル１６０により操作が受け付けられていないと判定される場合（ステップＳ１７１；Ｎ）、そのまま待機状態となる。なお、操作パネル１６０は、複数の画像形成装置１０のうち何れのものであってもよい。ステップＳ１７２において、出力物の取得者と、印刷ジョブの依頼者と、が同一人物であるか否かが判定される。出力物の取得者と、印刷ジョブの依頼者と、が同一人物であると判定される場合（ステップＳ１７２；Ｙ）、ステップＳ１７３に処理が移行する。一方、出力物の取得者と、印刷ジョブの依頼者と、が同一人物でないと判定される場合（ステップＳ１７２；Ｎ）、手認証処理は終了する。ステップＳ１７３において、出力物の取得者と、印刷ジョブの依頼者とに関連性があると判定され、手認証処理は終了する。例えば、ＩＤ及びパスワードの入力が受け付けられ、予め登録されたものと一致する場合、出力物の取得者と、印刷ジョブの依頼者を同一人物であると判定し、出力物の取得者と、印刷ジョブの依頼者とに関連性があると判定してもよい。
【００９４】
以上の説明から、本開示を適用した画像形成システム１は、出力物がトレイ１１６から取り出され、且つ出力物の取得者と、印刷ジョブの依頼者とに関連性がないと判定される場合、印刷ジョブの属性が出力待ち状態に設定されることにより、出力物が出力された後であっても、印刷ジョブが消去されずに存在しているため、画像形成装置１０に印刷データを再度送信しなくても画像形成装置１０に出力物を出力させることができる。
【００９５】
また、認証デバイス２０により読み出される依頼側識別情報及び取得側識別情報に基づき、出力物の取得者と、印刷ジョブの依頼者との関連性が判定されることにより、認証デバイス２０が読み出し自在な個人情報を比較して出力物の取得者と印刷ジョブの依頼者との関連性を判定することができ、且つ認証デバイス２０はユーザーごとに携帯されるものであるため、認証デバイス２０を介して、出力物の取得者と、印刷ジョブの依頼者とを関連付けることができ、ユーザーに過度な負担をかけずに画像形成システム１を運用することができる。
【００９６】
また、認証デバイス２０は、ユーザーの生体情報に基づき生成するデバイス識別情報を記憶し、適宜読み出すことが可能であることにより、デバイス識別情報がユーザーに固有な情報として生成及び利用されるため、認証デバイス２０を携帯するユーザーを厳密に区別することができる。
【００９７】
また、デバイス識別情報を利用することにより、端末１３及び画像形成装置１０は、依頼側識別情報と、印刷ジョブとを関連付け、認証デバイス２０は、依頼側識別情報と、取得側識別情報との関連付けの有無を可能とさせる情報を提供するため、依頼側識別情報と、印刷ジョブと、取得側識別情報との関連付けの有無を判定させることができる。
【００９８】
また、デバイス識別情報を介して、印刷ジョブの依頼者と、出力物の取得者とが同一人物であるか否かが判定されることにより、印刷ジョブのセキュリティを向上させることができるため、画像形成システム１の安全性を高めることができる。
【００９９】
また、認証デバイス２０の認証に使用された個人情報に含まれるデバイス識別情報が関連付けられた印刷ジョブが開始されることにより、画像形成装置１０の近くにある認証デバイス２０のうち保証認証デバイスとして認証された認証デバイス２０に関連付いている印刷ジョブが開始されるため、保証認証デバイスとして認証されうる認証デバイス２０を携帯するユーザーが画像形成装置１０に近づけば、そのユーザーに関連する印刷ジョブを開始させることができる。
【０１００】
また、認証デバイス２０が存否範囲Ａ内で検出され、且つユーザーの保証が認証される場合、印刷ジョブの属性が出力完了状態に設定され、一方、認証デバイス２０が存否範囲Ａ内で検出されない場合、印刷ジョブの属性が出力待ち状態に設定されることにより、印刷ジョブに関連性のないユーザーが出力物を取得したとしても、印刷ジョブの属性が出力待ち状態に保持されるため、画像形成装置１０に印刷データが再度送信されなくても画像形成装置１０から出力物を出力させる処理を実行することができる。なお、存否範囲Ｂについても同様である。
【０１０１】
また、印刷ジョブの属性が出力完了状態に設定されているものであれば、印刷ジョブはバッファから削除され、印刷ジョブの属性が出力待ち状態に設定されているものであれば、印刷ジョブはバッファに保持されるものであることにより、バッファには出力待ち状態に設定される印刷ジョブが残ることになるため、出力待ち状態に設定される印刷ジョブを印刷可能状態として待機させることができる。
【０１０２】
また、認証指示によりユーザーが保証されている認証デバイス２０が認証されれば、バッファに保持されている印刷ジョブのうち、印刷ジョブの属性が出力待ち状態に設定されているものが開始されるものであることにより、出力物が出力された後であっても、印刷ジョブがバッファに存在しているため、画像形成装置１０に印刷データを再度送信しなくても画像形成装置１０に出力物を出力させることができる。
【０１０３】
また、出力待ち状態に設定されている印刷ジョブと同一のものがバッファに保持される場合、出力待ち状態に設定されている印刷ジョブがバッファから削除されることにより、同じ印刷ジョブが重複してバッファに存在しなくなるため、バッファの物理領域に無駄な印刷ジョブを占有させなくてよくなり、バッファの物理領域を有効活用することができる。
【０１０４】
また、分散印刷が実行される場合、認証デバイス２０を検出した画像形成装置１０と異なる画像形成装置１０にも同一の印刷ジョブを開始させることにより、大量印刷時の印刷負荷を複数の画像形成装置１０に分散させることができるので、それぞれの画像形成装置１０の印刷負荷を軽減でき、大量印刷を依頼していないユーザーであっても、大量印刷が全て終了するまで待つことなく印刷が終了した画像形成装置１０を利用することができる。
【０１０５】
また、画像形成装置１０の近くにあると検出される認証デバイス２０のうち、ユーザーが保証されていると認証される認証デバイス２０のデバイス識別情報が関連付けられた印刷ジョブが優先されることにより、特定のユーザーの印刷ジョブが優先されるため、特定のユーザーの印刷ジョブの待ち時間を短縮することができる。
【０１０６】
また、印刷ジョブの依頼者と、出力物の取得者とに関連性がないと判定されれば、依頼側識別情報を読み出し自在な認証デバイス２０に、取得側識別情報が通知されると共に、取得側識別情報に基づき、印刷ジョブの属性が出力完了状態及び出力待ち状態の何れか一方に設定自在なものであることにより、印刷ジョブの依頼者に、取得側識別情報から出力物が取得できるか否かを判断させることができるため、印刷ジョブの属性を柔軟に設定変更させることができる。
【０１０７】
また、個人情報に出力物を取得可能な権限情報が付加されれば、印刷ジョブの依頼者と、出力物の取得者との関連性があると判定されることにより、印刷ジョブの依頼者が他のユーザーに出力物を取得するように依頼した場合には、印刷ジョブの属性が出力待ち状態に設定されないため、画像形成システム１の柔軟な運用が可能となる。
【０１０８】
また、一部の画像形成装置１０で出力物が取り出されたとしても、他の一部の画像形成装置１０に印刷ジョブを開始させることにより、複数の画像形成装置１０が出力物の出力先の候補となるため、印刷ジョブの依頼者が取得できる出力物の出力先を柔軟に変更することができる。
【０１０９】
また、一部の画像形成装置１０で出力物が取り出されなかったとしても、他の一部の画像形成装置１０に印刷ジョブを開始させる操作が受け付けられることにより、複数の画像形成装置１０を出力物の出力先の選択肢とすることができるため、印刷ジョブの依頼者の行動範囲に応じて出力物の出力先を柔軟に変更することができる。
【０１１０】
また、操作パネル１６０により受け付けられる操作が、出力物の取得者と、印刷ジョブの依頼者と、を同一人物であると判定するものであれば、出力物の取得者と、印刷ジョブの依頼者とに関連性があると判定されることにより、デバイス識別情報を介さなくても、出力物の取得者と、印刷ジョブの依頼者との関連性が判定されるため、画像形成システム１を低コストで運用することができる。
【０１１１】
以上、本開示を適用した画像形成システム１を実施形態に基づいて説明したが、本開示はこれに限定されるものではなく、本開示の趣旨を逸脱しない範囲で、変更を加えてもよい。
【０１１２】
例えば、認証デバイス２０は、ユーザーの生体情報に基づき、個人情報としてデバイス識別情報を生成する一例について説明したが、これに限らず、ＲＦＩＤ等のように無線通信により情報をやりとりできるものであり、且つユーザーを特定できるデータ構成であればよい。
【０１１３】
また、画像形成装置１０が２台ある一例について説明したが、これに限らず、画像形成装置１０が３台以上あってもよい。この場合、他の一部の画像形成装置１０は、複数台であってもよい。例えば、１０台の画像形成装置１０のうち、一部の画像形成装置１０が２台あり、他の一部の画像形成装置１０が４台あってもよい。
【０１１４】
また、画像形成装置１０がＭＦＰとして機能するものであり、端末１３がデスクトップＰＣである一例について説明したが、これに限らず、画像形成装置１０がプリンタ単機能のものであり、端末１３がノートＰＣ又は携帯端末であってもよい。また、複数の端末１３のうち、何れか１台の端末１３にサーバーが構築され、そのサーバーが１個以上のモジュールを実行するものであってもよい。また、クラウドコンピューティングとして１個以上のモジュールが構成されるものであってもよい。
【０１１５】
また、プロセッサ１１３が実行するプログラムを記憶する記録媒体としてメモリ１１５を用いる一例について説明したが、これに限らず、光ディスク、ＩＣカード、光カード、マスクＲＯＭ、ＥＰＲＯＭ（Ｅｒａｓａｂｌｅ  Ｄｉｓｃ）、及びＥＥＰＲＯＭ（Ｅｌｅｃｔｒｉｃａｌｌｙ  ＥＰＲＯＭ）等の半導体メモリであってもよい。
【０１１６】
また、通信媒体３に接続された不図示の他のコンピュータが、画像形成装置１０のメモリ２０４に記憶されたプログラムを書き換える、又は新たなプログラムを追加して書き込むようにしてもよい。さらに、画像形成装置１０が、通信媒体３に接続された不図示の他のコンピュータからプログラムをダウンロードし、そのダウンロードしたプログラムをメモリ２０４に記憶してもよい。このようプログラムは、プロセッサ１１３が直接実行可能なプログラムだけではなく、ソースプログラム、圧縮処理されたプログラム、又は暗号化されたプログラム等であってもよい。
【０１１７】
また、プロセッサ２０１が実行するプログラムを記憶する記録媒体としてメモリ２０４を用いる一例について説明したが、これに限らず、光ディスク、ＩＣカード、光カード、マスクＲＯＭ、ＥＰＲＯＭ（Ｅｒａｓａｂｌｅ  Ｄｉｓｃ）、及びＥＥＰＲＯＭ（Ｅｌｅｃｔｒｉｃａｌｌｙ  ＥＰＲＯＭ）等の半導体メモリであってもよい。
【０１１８】
また、通信媒体３に接続された不図示の他のコンピュータが、認証デバイス２０のメモリ２０４に記憶されたプログラムを書き換える、又は新たなプログラムを追加して書き込むようにしてもよい。さらに、認証デバイス２０が、通信媒体３に接続された不図示の他のコンピュータからプログラムをダウンロードし、そのダウンロードしたプログラムをメモリ２０４に記憶してもよい。このようプログラムは、プロセッサ２０１が直接実行可能なプログラムだけではなく、ソースプログラム、圧縮処理されたプログラム、又は暗号化されたプログラム等であってもよい。
【０１１９】
なお、上記で説明した一連の処理は、ハードウェアにより実行させることもでき、ソフトウェアにより実行させることもできる。一連の処理をソフトウェアにより実行させる場合は、そのソフトウェアを構成するプログラムが、各種のプログラムをインストールすることで、各種の機能を実行することが可能なコンピュータに、プログラムを記録する記録媒体から、又は、インターネット等を介して、インストールされるものである。
【符号の説明】
【０１２０】
１  画像形成システム、３  通信媒体、５  無線局、１０  画像形成装置、１３  端末
１０１  バス、１１０  メイン回路、１１１  インターフェース部
１１２  ファクシミリ部、１１３  プロセッサ、１１４  メモリコントローラー
１１５  メモリ、１１６  トレイ、１１７  トレイセンサー
１２０  自動原稿搬送装置、１３０  原稿読取部、１４０  画像形成部
１５０  給紙部、１６０  操作パネル、１６１  表示部、１６３  操作部
１６５  タッチパネル、１６７  ハードキー部
２０  認証デバイス、２０１  プロセッサ、２０２  読取部、２０３  生成部
２０４  メモリ、２０５  読出部、２０７  表示部
２０８  操作部、２０９  インターフェース部、２１１  メモリコントローラー
Ａ，Ａ１，Ａ２、Ｂ，Ｂ１，Ｂ２  存否範囲
【図１】
2018134745.tif 000003
【図２】
2018134745.tif 000004
【図３】
2018134745.tif 000005
【図４】
2018134745.tif 000006
【図５】
2018134745.tif 000007
【図６】
2018134745.tif 000008
【図７】
2018134745.tif 000009
【図８】
2018134745.tif 000010
【図９】
2018134745.tif 000011
【図１０】
2018134745.tif 000012
【図１１】
2018134745.tif 000013
【図１２】
2018134745.tif 000014
【図１３】
2018134745.tif 000015